(57)【要約】【課題】フックの無い商品の掛け吊り下げに適し、前後に並べて吊り下げた複数の商品の中から所望の商品だけを簡単に取り出すことができる商品陳列用掛け具を提供すること。【解決手段】商品陳列棚等の取り付け個所に掛止させる取り付け部４から前方に向けてメインバー２が突出し、メインバー２の長さ方向の所定間隔を設けた複数個所の下部から下方に向けて、小物の商品を掛け吊り下げる掛け部６ｂを有する側面視において略Ｌ字形状のＬ型バー６・・・が、開放端部６ｃ・・・を前方に向けた姿勢で、夫々設けられている。【選択図】図１
0003166176.tif 000002
【実用新案登録請求の範囲】
【請求項１】
陳列棚等の取り付け個所に掛止させる取り付け部から前方に向けてメインバーが突出し、該メインバーの長さ方向の所定間隔を設けた複数個所の下部から下方に向けて、小物の商品を掛け吊り下げる掛け部を有する側面視において略Ｌ字形状のＬ型バーが、開放端部を前方に向けた姿勢で、夫々設けられていることを特徴とする商品陳列用掛け具。
【請求項２】
前記各掛け部の開放端部は、若干上方に傾斜した、商品の滑り落ち防止形状を有している、請求項１に記載の商品陳列用掛け具。
【請求項３】
前記各掛け部全体が、前記開放端部に向かうに従って若干上方に傾斜した、商品の滑り落ち防止形状を有している、請求項１又は２に記載の商品陳列用掛け具。
【請求項４】
前記取り付け部の前端から前方に向けて、小物の商品を掛け吊り下げる最後部の掛け部が更に設けられている、請求項１乃至３のいずれかの項に記載の商品陳列用掛け具。
【請求項５】
前記メインバーの後端部は、前記取り付け部に着脱自在に支持されている、請求項１乃至４のいずれかの項に記載の商品陳列用掛け具。
【考案の詳細な説明】
【技術分野】
【０００１】  本考案は、複数の商品を前後に並べて吊り下げる商品陳列用掛け具に関する。
【背景技術】
【０００２】  肌着の小売店、スーパーマーケット、コンビニエンスストア、ディスカウントショップ、小物金具等を小売りするホームセンター、雑貨店等の店頭において、小物の商品を前後方向に連ねて掛け吊り下げる商品陳列用掛け具が多数本、使用されている。
従来の商品陳列用掛け具は、例えば特許文献１（意匠登録第１０６２２７０号公報）に示すように、陳列棚等の取り付け個所に掛止させる取り付け部から前方に向けて１本のバーが突出し、このバーに複数の商品を前後方向に重ねて掛け吊り下げる構造のものである。【０００３】  この種の商品陳列用掛け具を用いて店頭で陳列される袋入り商品には、以下の掛止部分を有する。
図９（ａ）に示す商品７０Ａでは、袋口を封止した台紙７２に、バー３０に掛けるフック７３が取り付けられており、図８（ｂ）に示す商品７０Ｂでは、バー３０に掛けるプラスチック製の環体７３が取り付けられている。
図示していないが、例えば、タオルや靴下などの商品では、袋を用いないで、台紙を介してプラスチック製のフック又は及び環体が取り付けられている。
図９（ｃ）に示す商品７０Ｃでは、袋口を封止した台紙７２に、バー３０に掛け通す孔７２ａが設けられ、図９（ｄ）に示す商品７０Ｄでは、袋口をヒートシールで封止した袋７１の上部面に孔７１ａが設けられている。
図９（ｅ）に示す商品７０Ｅでは、表面に透明プラスチックカバー７５を取り付けた台紙７６の上部面に、バー３０に掛け通す孔７６ａが設けられており、図９（ｆ）に示す商品７０Ｆでは、紙箱７７の背板部分を上方に延出させ、この延出させた部分７７ａに孔７７ｂが設けられている。
【先行技術文献】
【特許文献】
【特許文献１】意匠登録第１０６２２７０号公報
【０００４】
【考案の概要】
【考案が解決しようとする課題】
【０００５】  しかしながら、特許文献１に示す１本のバーに商品を前後に重ねて掛け吊るすタイプの構造には、次のような不具合がある。
多くの店頭では、１本のバーに色違いの商品、サイズの違う商品が、前後に重ねた状態で掛け吊り下げられているのが現状である。図８（ｂ）〜（ｆ）に示す商品（７０Ｂ，７０Ｃ，７０Ｄ，７０Ｅ，７０Ｆ）が、１本のバー３０に、前後に並べて掛け吊り下げられていると、顧客が後方の商品を取り出すときに、手前の商品を全てバー３０から抜き出し、しかもその後に、抜き出した手前の商品を再びバー３０に掛け戻すという、顧客及び店員にとって面倒な作業が必要になり、顧客の商品購入意欲を減退させる。【０００６】  図９（ａ）に示すプラスチック製のフック７３を用いると、後方の商品だけを取り出すことができるが、フック代が別に必要になり、フック７３を取り付ける作業に手間とコストを要する。とくに薄物の商品を入れた袋にフック７３を取り付けると、袋が嵩張り、これが梱包、輸送、在庫のコストアップを招く。しかも、プラスチック製のフック７３は、商品購入後、使い捨てられる性質のものであるため、資源の無駄になり、分別廃棄の際に手間が掛かる。【０００７】  本考案は斯かる事情に鑑みて提案されたものであり、フックの無い商品の掛け吊り下げに適し、前後に吊り下げた複数の商品の中から所望の商品だけを簡単に取り出すことができる陳列用掛け具を提供すること。延いては、フックの無い商品パッケージにすることにより、商品の製造コストが抑えられ、フックの廃棄による環境の悪影響を無くすことを解決課題とする。
【課題を解決するための手段】
【０００８】  請求項１に係る商品陳列用掛け具は、
陳列棚等の取り付け個所に掛止させる取り付け部から前方に向けてメインバーが突出し、該メインバーの長さ方向の所定間隔を設けた複数個所の下部から下方に向けて、小物の商品を掛け吊り下げる掛け部を有する側面視において略Ｌ字形状のＬ型バーが、開放端部を前方に向けた姿勢で、夫々設けられている。
この商品陳列用掛け具によると、Ｌ型バーの掛け部に商品を掛け吊り下げる。メインバーはＬ型バーを前後方向に所定間隔を設けて支持させるためにあり、Ｌ型バーとメインバーとは一体成形されている。Ｌ型バーの掛け部は水平姿勢よりも若干前方に向かうに従って上方に傾斜して、掛けた商品が不用意に前方から滑り落ちないようにしてある。
メインバーの前端部を除く大部分は水平姿勢でもよく、また、前方に向かうに従って若干上方に傾斜した姿勢であってもよい。【０００９】  請求項２に係る商品陳列用掛け具では、前記各掛け部の開放端部が、若干上方に傾斜した商品の滑り落ち防止形状を有している。これに対して請求項３に係る商品陳列用掛け具では、前記各掛け部全体が、前記開放端部に向かうに従って若干上方に傾斜した商品の滑り落ち防止形状を有している。【００１０】  請求項４に係る商品陳列用掛け具は、更に、前記取り付け部の前端から前方に向けて、小物の商品を掛け吊り下げる最後部の掛け部が更に設けられている。【００１１】  請求項５に係る商品陳列用掛け具は、更に、前記メインバーの後端部は、前記取り付け部に着脱自在に支持されている。
【考案の効果】
【００１２】  本考案に係る商品陳列用掛け具によれば、複数本のＬ型バーを利用して、商品を前後に並べて掛け吊り下げることができる。このため、顧客が前後に並んでいる商品の中から、手前の商品をＬ型バーの掛け部から抜き出さなくても、後方の商品だけを取り出すことができ、顧客が簡単に商品を取り出すことができるので、顧客の商品購入意欲を促進させる。
しかも、商品にフックが無くても掛け吊り下げることができるため、商品パッケージのコストを削減し、プラスチック製フックの分別廃棄による手間を解消し、プラスチック製フックの廃棄による環境問題を解消する。
また、最後部の掛け部を、Ｌ型バーの一部ではなく、前記取り付け部の前端から前方に向けた簡単な構造にすると、更に製造コストが抑えられる。
また、メインバーの後端部を取り付け部に着脱自在に支持させると、取り付け部の形状が異なる多品種の商品陳列用掛け具を、一層低価格で市場に供給できる。
【図面の簡単な説明】
【００１３】
【図１】（ａ）は本考案第１実施形態に係る商品陳列用掛け具を示した斜視図、（ｂ）は同じく側面図。
【図２】（ａ）は図１（ａ）の一部を拡大して示した図、（ｂ）は図２（ａ）におけるＩ−Ｉ断面図。
【図３】（ａ）は商品陳列用掛け具の取り付け事例を示した斜視図、（ｂ）は更に商品を掛け吊下げた状態の使用状態図。
【図４】商品陳列用掛け具を掛け吊り下げた複数の商品の１つを取り外した状態で示した斜視図。
【図５】第２実施形態に係る商品陳列用掛け具を示した側面図。
【図６】第３実施形態に係る商品陳列用掛け具を示した斜視図。
【図７】第４実施形態に係る商品陳列用掛け具の後部を示した斜視図。
【図８】第５実施形態に係る商品陳列用掛け具の後部を示した斜視図。
【図９】（ａ）〜（ｆ）はいずれも袋入り商品における掛止部分の各形態を示した部分斜視図。
【考案を実施するための形態】
【００１４】  本考案は次の実施例により更に明確に理解されるであろう。
【実施例】
【００１５】〔第１実施形態の商品陳列用掛け具〕
図１（ａ）（ｂ）に示す本考案第１実施形態の商品陳列用掛け具１Ａは、メインバー２の後端部に取り付け部４が設けられ、メインバー２の長さ方向に一定間隔を設けた複数箇所の下部から下方に向けて側面視略Ｌ字形状を有するＬ型バー６・・・が設けられた、全長Ｌが１８１ｍｍの硬質プラスチック製一体成形品である。【００１６】  取り付け部４は、上板部４ａと前板部４ｂと背板部４ｃとを具備する、側面視において略コ字の開放端部を下向きにした鞍形状を有する。
取り付け部４の好適とされる寸法は、横幅Ｗが３０ｍｍ、最大高さＨ１が４９ｍｍ、前板部４ｂと背板部４ｃの肉厚がいずれも６ｍｍ、前板部４ｂと背板部４ｃとの間に形成された空間５の前後間隔が１５ｍｍである。しかしながら、これら各部の寸法、及び後述する各部の寸法、並びに取り付け部４の形状は、本発明を限定するものではない。【００１７】  メインバー２は、取り付け部４の上板部４ａの上端中央個所から前方に向けて突出する、全長Ｌ２が１５４ｍｍの細軸形状部分であり、その長さ方向に沿う上面には、下方に向けた撓み及び折れを防止する補強リブ２ａが一体形成されている。メインバー２の補強を更に向上させるため、補強リブ２ａの後端部は、前記上板部４ａの上面の後端部まで達している。
メインバー２は、前記上板部４ａの上面と平行な向きにある。別の言い方をすれば、前記前板部４ｂの前面に対して直角する前方に向けられている。
後述するように、メインバー２には下方に向けた荷重が作用する。とくにメインバー２の後部には、より大きな荷重が作用する。プラスチック製の商品陳列用掛け具１Ａの場合には、メインバー２の後部の補強を更に図ることが望まれる。このため、メインバー２の後部両側面から前記上板部４ａに至り補強翼部３，３が一体形成されている。
メインバー２の前端部（開放端部）２ｆは、美観と後述する最前端のＬ型バーに商品を掛ける作業の邪魔にならないように、若干上方に傾斜させてあり、さらにその先端は安全性を考慮した半球面に加工されている。【００１８】  メインバー２の長さ方向の所定間隔を設けた４個所の下部から下方に向けて、小物の商品を掛け吊り下げる、側面視において略Ｌ字形状を有するＬ型バー６・・・が一体形成されている。
Ｌ型バー６は、縦軸部６ａと、側面視において横方向に向けた掛け部６ｂと、開放端部（先端部）６ｃとにより構成される。いずれのＬ型バー６・・・も、掛け部６ｂ及び開放端部６ｃは、メインバー２と同様に前方に向けられている。縦軸部６ｂは、掛け部６ｂをメインバー２から下方の一定高さの位置にさせる機能を持つ。展示商品は、開放端部６ｃから掛け部６ｂ内に掛け通すことにより、掛け吊下げられる。【００１９】  図２（ａ）及び（ｂ）において、メインバー２の好適とされる軸径Ｄ１は、例えば５ｍｍ、Ｌ型バー６の好適とされる軸径Ｄ２は４ｍｍである。軸径Ｄ２を有するＬ型バー６は、先程説明した図９（ｃ）〜（ｆ）に示す各孔（７２ａ，７１ａ，７６ａ，７７ｂ）に掛け部６ｂを突入させることができ、通常の使用による荷重で撓んだり折れたりしない。メインバー２は、図２（ｂ）に示す断面形状に限定されない。図示していないが、例えば、肉厚長板形状、角棒形状、断面形状が楕円の棒形状等であっても構わない。【００２０】  Ｌ型バー６について、縦軸部６ａの好適とされる高さＨ２は、例えば１７ｍｍであり、掛け部６ｂの位置をメインバー２からこの高さＨ２まで低く位置させると、商品の取り付け及び取り外しの作業において、メインバー２が邪魔になることはない。【００２１】  図２（ａ）において、掛け部６ｂは前方に向かうに従って若干上方に傾斜して、掛け吊るした商品が不用意に前方から滑り落ちないようにしてある。
そして、この滑り落ち防止機能をさらに向上させるため、開放端部６ｃははさらに上方に傾斜させてある。
掛け部６ｂの好適とされる傾斜角θは１０°〜２０°であり、この傾斜角θを含めた開放端部６ｃの好適とされる傾斜角αは２５°〜約３５°である。
掛け部６ｂの好適とされる前後方向の長さＬ４は、商品を掛け吊り下げるに十分な１２ｍｍである。各掛け部６ｂの前端とその前方に位置するＬ型バー６の後端部との間の好適とされる間隔Ｌ５は、例えば１４ｍｍであり、この間隔Ｌ５が確保されると、商品の掛け及び取り外しの各作業が容易に行え、商品陳列用掛け具の全長を必要以上に長くしない。１本の掛け部６ｂに掛けられる商品の点数は、商品の厚みにより異なるが、上記の前後長さＬ４は、少なくとも１点を掛けるに十分な長さである。【００２２】  図３（ａ）に示すように、第１実施形態の商品陳列用掛け具１Ａは、取り付け部４を、陳列台の取り付け材５０に上方から嵌め込むことにより、確りと掛止される。
図３（ｂ）に示すように、商品陳列用掛け具１Ａを用いて袋入り商品６０・・・を展示する場合には、袋上部に設けられている孔６２ａをＬ型バー６及びに掛け通す。このようにすると、各Ｌ型バー６・・・を利用して商品６０Ａ，６０Ｂ，６０Ｃ，６０Ｄ，６０Ｅを前後に所定間隔を置いて掛け吊り下げることができる。【００２３】  図４に示すように、本考案実施形態の商品陳列用掛け具１Ａを用いた商品の陳列では、各Ｌ型バー６・・・の掛け部６ｂ・・と最後部の掛け部７に、商品６０・・・を掛け吊り下げることができるため、例えば商品６０Ｄだけを取り出すときる。【００２４】〔第２実施形態の商品陳列用掛け具〕
図５に示す第２実施形態の商品陳列用掛け具１Ｂは、側面視Ｌ字形状を有する２本のＬ型バー６，６と、最後部の掛け部７を備える。
Ｌ型バー６，６にある掛け部６ｂ，６ｂと掛け部７は、いずれも前述した第１実施形態の掛け部よりも前後方向に長い形状であり、掛け部６ｂ，６ｂ，７ごとに同じ色やサイズの商品を複数点数、掛けることができるようにしてある。【００２５】〔第３実施形態の商品陳列用掛け具〕
図６に示す第３実施形態の商品陳列用掛け具１Ｃは、金属製であり、メインバー２と各Ｌ型バー６・・・とが一体成形されている。そして、メインバー２の後部２ｂと、プレス成形品である取り付け部５の上板部４ａとが、蝋付け又は溶接により固着されている。この掛け具１Ｃが鉄製である場合には、防錆と美観向上を図るため、外面全体が鍍金処理されている。【００２６】〔第４実施形態の商品陳列用掛け具〕
本発明に係る商品陳列用掛け具の取り付け部は、上述した形状のものに限定されない。例えば、図７に示す商品陳列用掛け具１Ｄのように、図１（ａ）に示す取り付け部４と異なる形状の取り付け部４１を、メインバー４の後端部に設けてもよい。この取り付け部４１は、前板部４１ａの上部に後下方に向けたフック部４１ｂが形成され、前板部４１ａの下部に後方に低段となった形状の係合部４１ｃが形成されている。【００２７】〔第５実施形態の商品陳列用掛け具〕
図８に示す第５実施形態の商品陳列用掛け具１Ｅは、メインバー２と取り付け部とが着脱自在な構造を有する。
詳細には、取り付け部４１の前板部４１ａから前方に向けてメインバー２の後端部を突入させる短筒部４２が固着され、短筒部４２内にメインバー２の後端部を突入させたあと、摘み付きねじ１２の締結により、メインバー２の後端部が短筒部４２内から抜け外れない構成としてある。
【産業上の利用分野】
【００２８】  本考案に係る商品陳列用掛け具は、肌着の小売店、スーパーマーケット、コンビニエンスストア、ディスカウントショップ、小物金具等を小売りするホームセンター、雑貨店等の店頭において、従来から使用されている１本のバーに商品を掛けるタイプの商品陳列用掛け具に代わり、また新規に利用される可能性が大きい。
【符号の説明】
【００２９】１Ａ  本考案第１実施形態の商品陳列用掛け具
２    メインバー
４    取り付け部
６    Ｌ型バー
６ａ  縦軸部
６ｂ  掛け部
６ｃ  開放端部
７  （最後端の）掛け部
【図１】
0003166176.tif 000003
【図２】
0003166176.tif 000004
【図３】
0003166176.tif 000005
【図４】
0003166176.tif 000006
【図５】
0003166176.tif 000007
【図６】
0003166176.tif 000008
【図７】
0003166176.tif 000009
【図８】
0003166176.tif 000010
【図９】
0003166176.tif 000011